(57)【要約】      （修正有）【課題】上方から投入する薪ストーブに於いて、長尺薪を含めて、多種多様な薪を燃焼し煙の発生を最小限に抑え、暖房効率の促進と、薪ストーブ燃料薪の形態を選ばず、設置箇所の自由度を高める構造を提供する。【解決手段】薪を燃焼する中空の燃焼室Ａ１を有する本体Ａと、本体前部上方にストックヤード２０を垂直に設置し、ストックヤード下部に連通した筒状ガイド板を構成し複数投入された長尺薪を収束状にして燃焼室底部に薪燃焼部分を保持する保温火床板に誘導し、本体外側下部に空気供給口６を設け燃焼効率の向上を図り、ストックヤード、筒状ガイド板を着脱自在に構成し、多様な形態の薪を燃焼することを可能とし、又薪ストーブの設置箇所の自由度を高めた。【選択図】図１
2017067425.tif 000002
【特許請求の範囲】
【請求項１】
薪ストーブ本体より上方に突設したストックヤードに長尺薪を縦方向に投入する上部開口部、又はストックヤード側面扉を持ち本体後方上部に設けられた煙突を構成する薪ストーブにおいて、
薪を燃焼する長手方向に規定された延長を持つ中空の燃焼室を有する本体と、前記本体前上部に前記本体上面水平方向に対して垂直に上方突設された前記ストックヤードと、前記ストックヤード下部に前記本体を貫通し前記本体と連通せしめ、複数投入された長尺薪を収束状に誘導する筒状ガイド板と、前記燃焼室底部には薪先端部燃焼を保持する保温火床板を構成し、前記本体前部に開閉可能な全開扉と一体とする薪を横方向に投入する開閉可能な開口部を設け、前記全開扉に空気導入口を形成したことを特徴とする薪ストーブ。
【請求項２】
前記筒状ガイド板は燃焼室内に投入された薪を囲う形になり、空気導入口等から通風された外部空気により縦投入された薪上部の冷却を保護することを特徴とする請求項１乃至請求項２記載の薪ストーブ。
【請求項３】
燃焼室底部に設置した前記保温火床板は、鉄製網を灰と交互に重ね合わせ３ｃｍ〜５ｃｍの厚さに設定し、前記鉄製網内部に前記灰を充填されたことで断熱効果を高め、最上面は前記鉄製網となることを特徴とする請求項１記載の薪ストーブ。
【請求項４】
前記本体の左右外側面下部に空気供給口を設け、特に燃焼される薪先端箇所、及び前記断熱板上部に空気供給可能な位置に設置した請求項１、請求項３記載の薪ストーブ。
【請求項５】
前記本体の左右外側面下部に薪燃焼前記空気供給口より煙突方向に寄った位置に２次燃焼用空気供給口を設置したことを特徴とする請求項１乃至請求項７記載の薪ストーブ。
【請求項６】
前記ストックヤードと薪を収束状とする前記筒状ガイド板は着脱自在とし、前記ストックヤードと前記筒状ガイド板が取り外された前記本体上面の開口部には開閉可能の扉を設置し、短い薪、木材小片、木質チップ材等の燃料を投入可能とすることを特徴とする請求項１記載の薪ストーブ。
【発明の詳細な説明】
【技術分野】
【０００１】  本発明は薪ストーブに関する。
【技術背景】
【０００２】  木材を燃料として用いる薪ストーブとしては、様々な形式、形状が公知されている。木質バイオマスとして木材を燃料として注目されたのは、化石燃料の高騰による暖房費の軽減、地球温暖化に対する二酸化炭素の増大を防ぐエコ燃料として使用されている。しかしながら近年では山林の荒廃が叫ばれ、山林の砂漠化、すなわち密林と化した木々の底は日光が届かず、また針葉樹に関しては林底に多様な植物の繁殖を抑え、山肌が現れ、豪雨時にその土が雨水と共に流出し海にまで到達して海底が泥に覆われ、漁業にも甚大な影響をも及ぼしている。よって山林整備による間伐材の活用が急務となっている状況の中で搬出された木材を木質バイオマス燃料として、木材チップ、木質ペレット、薪等に加工利用した燃焼方法が研究され、発電、給湯、暖房等の機器、機材が開発されている。
【０００３】  本発明は、こうした山林整備等により発生した間伐材等を燃料とし、ビニールハウス等の暖房用薪ストーブとして開発され、木材の質、長短を選ばず燃焼効率の向上を求める技術に関するものである。特に長尺の薪を燃料としている薪ストーブの構成としては、特許文献１に開示されているもの、又同様に特許文献２に開示されているものがある。
特許文献一に開示されている薪ストーブの構成は、薪を上から投入して燃焼させるもので、燃焼室を有するボックス状の本体と、本体上部に軸先が傾斜して突設されるとともに上部に開口部が設けられ、長尺の薪を７０°±５°に傾斜された形で投入可能としている。
特許文献２に開示されているものは、特許文献１の構成中の突設上部の薪投入開口部を側面に変更し、薪ストーブ上部に空間が取れない環境に対応して、長尺の薪を側面開口部より投入することが示されている。特許文献１のボックス状の本体そのものの内部を７０°±５°の傾斜角を設置し、不完全燃焼を改善する２次燃焼室を設けることを特徴とする薪ストーブを提案している。
【先行技術文献】
【０００４】
【特許文献１】実願２００９−８９４５
【特許文献２】特願２０１１−２７７０３０
【発明の概要】
【発明が解決しようとする課題】
【０００５】  特許文献１、特許文献２で開示されているような薪ストーブによれば、燃焼室本体より突設した上部より長尺の薪を投入した場合、燃焼室底部に到達した薪先端部（燃焼部分）がバラつくことで薪自体が互いに不規則に離反した状態になり、安定した燃焼が得にくい問題として燃焼室薪本体を傾斜させることで燃焼室内の薪を規則的に支持できるようにして解決している。
しかしながら、着火口と薪の離間が大きく着火することが難しく同時に前面扉から薪までの燃焼室の空間が大きく燃焼温度が上昇せず黒煙が多く発生し、又燃焼部分が煙突と隣接しているため燃焼熱が利用されないまま排熱される状況で燃焼効率が悪くハウス内の温度上昇に問題があった。
特許文献２に開示されている２次燃焼室を設ける事は、機構が複雑になり、製造が高価となる、更に燃焼箇所が煙突直下となる構造であり、燃焼促進板なるものが煙突直結により、薪ストーブ本体からの輻射熱、放射熱等の熱効率が低下する問題があった。【０００６】  このような薪ストーブは、主に人的暖房の他に工場、ビニールハウス等で作物の栽培用暖房で使用されることが多い。そのハウス内使用目的は多用で、例えば温湯配管による暖房装置、温風設備による暖房装置等が考えられる。そうした要求の中でストックヤードと煙突までの距離、及び熱交換部面積の少ないことは多用な利用方法が取れないことが指摘されている。【０００７】  通常は薪をストーブ内に横に投入して燃焼させる。しかし燃焼温度は充分に得ることが出来るが燃焼時間が短い欠点があり、又薪は一様ではなく水分、太さ、曲がり等一本でも同じ状態のものは無い中で横に投入する燃焼方法は燃焼室内に投入されれば上記の問題は空気供給の方法で燃焼室内の温度調整が容易なため解決できる。長尺の薪を縦型に燃焼する方法には火力を求めることなく長時間燃焼を持続させ、特に冬季の夜間ハウス内で凍結を防止するなど、急激な温度変化に作物等を保護するのが目的であるが、木質燃料で長時間、様々な様態の薪を充分な燃焼を維持するのは難解な問題があった。本発明はこれらの問題を解決し、多目的利用可能な薪ストーブを提供することを目的とする。
【課題を解決するための手段】
【０００８】  このような問題を解決すため本発明の薪ストーブは、中空の燃焼室を持った本体上部に薪を保持する中空ボックス状のストックヤードを着脱自在に設置し、長尺の薪を当該本体の上方より投入し該本体の底部で燃焼する構成とするものである。
規定された長さの燃焼室を有する本体の前部上方には開口部が設けられボルト等で固着するストックヤードを該開口部に垂直設置し、該ストックヤードの下部に本体を貫通し連通せしめ、複数本投入された長尺薪を収束状に誘導する筒状ガイド板を連結ボルトで固着し、本体燃焼底部（ストックヤード直下）には薪先端燃焼部を保持する保温火床板を構成する。更に本体最前部の全開扉は２重となり、全開扉に形成した第二の扉には薪を横方向に投入可能な開口部を設け、第二扉には該開口部、前部空気供給口を設置したことを特徴とする。【０００９】  薪ストーブ本体に固着するストックヤードと薪を収束状に誘導する筒状ガイド板は着脱自在に構成し、取り外された本体上部開口部には、開閉自在の扉を設け、短い薪、小片、チップ材、おが屑などの燃料を投入可能として、また該本体の最前部の扉からは横方向に薪を投入することができ、薪の様態、長短を選ばず、薪燃料を二種類の投入方法を開発導入したことで、多種多用な薪を燃焼として実施可能とした特徴を持つ薪ストーブである。【００１０】  ストックヤード下部に固着された薪を収束状に誘導する筒状ガイド板は、燃焼室内で薪全週を囲う形になり、本体内部に空気供給され燃焼室内を低温で循環する燃焼用空気を略遮断して筒状ガイド板内で燃焼室内にある薪の温度上昇を促し、下降する薪の燃焼を優位に促すことができることになる。又該本体底部の保温火床板は炭火状に化した燃焼魂を本体下部からの冷却を防ぎ、燃焼魂が保温火床板に長く留まることで薪燃焼箇所温度の低下を抑止する目的であるため、ロストルの効用は逆効果となるため必要としない。保温火床板は堅牢な鋼鈑で網状の板を重ね合わせ厚さ３ｃｍ〜５ｃｍに加工して内部に灰、又は砂を充填し、本体底部からの冷却に対して耐熱性を高めることを特徴とする。【００１１】  ストックヤード戸当り枠全周、及び開閉扉全周に二重の耐熱パッキンが装填配され燃焼熱によるストックヤードの変形、歪みから起こる隙間に対応するパッキン厚さが求められ、又扉は押し圧が掛かる構成でありパッキンが二重構造で柔軟にストックヤードの密閉度を高めることができ、ストックヤードは燃焼室と連通していることで火炎の上昇を抑えるため密閉度を高めることとなり、これによりストックヤード内は酸化ガスが充満し略無酸素状態となりストックされた薪を火炎から保護することが出来る。【００１２】  薪を縦型投入した場合、本体下部に筒状ガイド版により収束状態で安定した燃焼状況を維持するには空気供給量と「ふいご」効果を持つ供給方法が必要であり、空気供給量が多すぎると燃焼室の温度が下降し充分な燃焼を維持することが難しくなる。本体左右外側面下部に空気供給口を設けるが、特に燃焼部を中心とした箇所に微調整可能な空気供給口を設置し、この場合薪の燃焼部に「ふいご」状態による空気供給が行われ、高温で安定した燃焼状態が保たれることとなる。【００１３】  薪を縦型投入した場合、燃焼中の筒状ガイド板に収束状態にされた薪を中心として本体内部で本体前部空間と煙突までの空間が火炎により二分割になる、該本体前部に設置した前部空気供給口と該本体下部に設けた空気供給口より供給された空気は燃焼酸化により無酸素状態となり二分割された一��の煙突方向に流れ、発火温度を保ったまま不完全燃焼ガスとして排気される。このときの発火温度は４００℃〜４７０℃であり、時により燃焼室にガスが充満したままで発火源があると爆発的燃焼が起き、薪ストーブの空気供給口などから煙交じりの火炎が放出する、いわゆる２次燃焼である。こうした現象を回避するため燃焼中の薪より排気方向に２次燃焼用空気口を儲け、空気導入を促し排気までの燃焼ガスを効率よく燃焼させ排煙の少ないことを特徴とする薪ストーブである。
【発明の効果】
【００１４】  こうした薪ストーブは燃焼試験を重ねれば、多用な効果、課題が発生する。本発明は木質燃料と言う多種多用な様態を持つ燃料であり、化石燃料とは違い計算的燃焼計画がなされない物である。したがって多用な燃焼方法の開発が必要となる。
木材は大きく分けて２種類で、落葉樹、コナラ、クヌギ等と針葉樹、松、杉等がある。そして燃焼温度の違いもあり、落葉樹は８００℃程度で燃焼、針葉樹は樹木組織内に油分が多量に含まれているため１，０００℃を超えることもある、又針葉樹は樹木自体が落葉樹より軟らかく燃えやすい。又木々は樹木内部の水分により発火点等温度が定まらない。【００１５】こうした木材を混合して薪燃料として使用すると、横投入燃焼方式では比較的問題としないが、本発明の縦込み式燃焼方式では、木材の内部環境の違いで燃焼速度に差が出て燃焼後長短様々な残渣として残る場合もある。したがってストックヤードに傾斜角度を設けると多用な木材が重なり合い、木材の同士の摩擦が大きくなり、枝等が抵抗し、燃焼が進むにつれ複数の木材が同時に燃焼室に降下することはなく、したがって燃焼部で木材同士が互いに離反し、熱干渉なく木材燃焼温度が下がり立ち消えになる可能性が大きくなる。しかしストックヤードを直立に設置したことで燃焼が進むにつれ木々同士が摩擦等の抵抗なく独自に燃焼室に降下するため安定した燃焼を確保できたことで多様な木材を選別する労力が必要ない。【００１６】  ここで木材の燃焼過程とは、木材を徐々に加熱していくと水分が蒸発し、乾燥が始まりその後約２５０℃程度となると引火温度に達し煙が出始め、４５０℃以上で火源が無くとも発火し燃焼を初める。燃焼ガスは６９０℃まで上げると発火して８００℃〜１０００℃内で黒煙を出すことなく燃焼を維持することができる。【００１７】  木材を加熱し１８０℃を超えると可燃性ガス（煙）が発生し始め、２５０℃程度まで上昇すると引火点に達するとされている。したがって、立て込み式燃焼方法では燃焼が進むに連れ降下する薪が煙を出すこと無く安定燃焼のためには少なくとも薪表層温度が燃焼部に達する以前に常に２５０℃を上回ることが必要である事が解る。したがって該薪ストーブは木材を収束状態に誘導する筒状ガイド板下部からストックヤード取り付け部までの木材の温度は、外部導入された低温空気の流れを筒状ガイド板で保護されるため薪部が冷却されることなく、２５０℃以上を維持しながら薪が降下到達する保温火床板上では空気供給口による「ふいご」効果もあり７００℃〜８３０℃以上を確保し、燃焼が安定的に長時間持続を得ることができるようになった。【００１８】  このように燃焼試験を数多く実施すると、課題が多く発生しその都度設計変更を余儀なくされてきたが、本発明では上方から長尺薪を投入し、縦込みにした薪の燃焼熱を本体燃焼室内で煙突吸引力にて横方向に流しながら燃焼部の温度を確保する技術に至ったことで、多種、多用な木材を燃料とすることができる効果を達成した。
【図面の簡単な説明】
【００１９】
【図１】本発明の実施形態による薪ストーブ本体とストックヤードの一例を共に示す斜視図である。
【図２】ストックヤード扉の構造を現した横断面図である。
【図３】図１に示す本体とストックヤード、燃焼部の構成を示す斜視図である。
【図４】図１に示す本体に構成する前面扉、燃焼用空気供給口、２次燃焼空気供給口、煙突を示す側面図である。
【図５】図１に示す実施形態における薪投入形態を示す断面図である。
【図６】実施形態２におけるストックヤード等の構成を取り外した後の薪ストーブ本体開口部における扉等を示す側面図である。
【発明を実施するための形態】
【００２０】  続いて添付した図１〜図６に基づいて本発明の実施形態に係る薪ストーブについて説明する。該薪ストーブは実施形態が二種に亘るため第一実施形態、第二実施形態として説明をする。
【第一実施形態】
【００２１】  図１は、本第一実施形態における薪ストーブＸは、長尺の薪を本体Ａに構成したストックヤード２０を介して燃焼室Ａ１上方から縦方向に投入する方式のみを採用する木質燃料を使用する暖房装置であり、ビニールハウス、工場等比較的広範囲を暖房に供するため設置された状況を示すものである。薪ストーブＸは鉄などの金属で形成され、本体Ａに於いて中空な直方体で燃焼室Ａ１を持ち、本体Ａ前部上面１４には開口部３１が形成され、開口部３１に燃焼室Ａ１内に耐熱鋼鈑で形成された筒状ガイド板３０を懸架構成し、同時連結されるボックス状鉄板製で内部は中空で開閉可能な扉を持つストックヤード２０を垂直（９０度）Ｂにボルト締め等による固着手段を構成し、また本体Ａ側面を補強、放熱用に平鉄フイン２が本体Ａ周囲に形成され、本体Ａ最前部には鉄製の全開扉８が設けられ燃焼室Ａ１内部の保温火床板３２などの調整、灰等の除去に使用し、さらに全開扉８略中央には第二実施形態で使用する薪投入用扉１０が開閉可能に構成し、またその直下には前部空気供給口７が設けられ、これらは独自の機能を持ち全開扉８に一体に形成されている。又本実施形態では本体Ａ、及びストックヤード２０は矩形状に形成されているが双方とも円形、又は楕円形状製作による形成であっても利便性、機能、効果などの優位性は変わることはない。
【００２２】  本体Ａ最後部には燃焼ガスを排出する煙突１２を形成して本体Ａと煙突１２接合部に排気量を自由調整する煙突ダンパー１３を設置している。四隅の脚部３は水平を保つ上下機能を持ち、ストックヤード２０の垂直直立Ｂ確保に貢献する。
【００２３】  図２はストックヤード２０とストックヤード扉２１の横方向の断面図である。ストックヤード扉２１にはヒンジ２４と戸当り部には二重の耐熱パッキン２６がストックヤード２０戸当り枠全周、ストックヤード扉２１枠全周共に配され、パッキン２６は石綿代替品であるガラス繊維紡織品で製造された耐熱５５０℃のガラステープを使用し、二重次は耐熱５５０℃の角打ガラスロープを配設している。ストックヤード扉２１押し圧ロック装置２２はＬ型アングルに形成され、図示はされていないがストックヤード扉２１裏面には本体Ａによる燃焼熱によって大きな歪みを抑止する平鉄で形成された補強が施されている。
【００２４】  図３に示す本体Ａ前部上面１４開口部３１には気密を保つ上記記載のガラス繊維紡織品５５０℃耐熱パッキン１４が配設され、パッキン１４上に着脱自在の筒状ガイド板３０を燃焼室Ａ１内に懸架取り付け、さらに上記記載の耐熱パッキン３５が配設、着脱自在のストックヤード２０を設置しボルト２５等の固着手段により固着し本体Ａとストックヤード２０は内部が連通した状態となり薪の投入が可能となる。四隅の脚部３の調整でストックヤード２０の垂直、水平を見て薪ストーブＸの設置状態となる。
【００２５】  ストックヤード扉２１とストックヤード２０の戸当り枠には二重パッキン２６が配設されており燃焼から来る熱によるストックヤード２０の歪み、変形による隙間等の気密を保つ機能がある押し圧ロック装置を構成し、又ストックヤード２０、筒状ガイド板３０直下燃焼室Ａ１内底部には薪ＭＫを保持する保温火床板３２が配設敷かれる。保温火床板３２の構成は、商品名エキスパンドメタル（鉄鋼網）が規定の矩形に切断され灰３４と交互に重ね合わされ、厚さ３ｃｍ〜５ｃｍに形成され、最上部は交換可能のエキスパンドメタルとして薪ＭＫ先端部が灰に埋もれ、不完全燃焼に至ることを防止する。この場合ロストルは配設されない。
【００２６】  薪ストーブＸの実施形態図１では、本体１を縦５００ｍｍ横５００ｍｍ長手方向１，２００ｍｍ、ストックヤード２０は高さ１，６００ｍｍ幅４５０ｍｍ×４５０ｍｍ、として薪ストーブ全高２，１００ｍｍに設定している。燃焼試験では薪ストーブＸは脚部３を含めると全高が２，２００ｍｍとなるため、又ビニールハウス等は冬季間温度確保のためハウス内頭上を限界まで低く設定されていることから、全高１，８００ｍｍ程度に設定する必要性が出る場合がある。尚２，０００ｍｍ内外の薪ＭＫは二分割等で使用し、直径１５０ｍｍ程度を超える薪ＭＫは後述する第二実施形態で説明をする。
【００２７】  次に図５を参照し燃焼行程の説明をする。薪ＭＫを投入する前段階として本体Ａの燃焼室Ａ１のストックヤード２０直下に火付け材として機能する乾燥ぎみの木材小片等用いることで着火がスムースとなり、その上に長尺薪ＭＫを投入縦込みするが、ストックヤード２０内部に縦掛ける様に薪ＭＫを投入していく、その時薪ＭＫは隣接する他の薪ＭＫに接触しても燃焼時は個別に降下するようストックヤード２０に縦込む、ストックヤード扉２１の開閉に於いて煙の発生が無いように少なくとも二以上配した押し圧ロック装置２２、による密閉に注意をする必要がある。
【００２８】  薪ＭＫはストックヤード２０、本体Ａの燃焼室Ａ１底部の保温火床板３２に着火が容易になるよう点火用木材小片などを準備して、垂直に保持される様に薪ＭＫを縦込みに投入する。点火された薪ＭＫは前部空気供給口７に隣接しているため「ふいご」効果で燃焼が進み、さらに本体外側両側面に設けられた空気供給口５、空気供給口６より隣接する薪燃焼部Ｆに空気が供給され燃焼が進み、可燃性ガスが薪ＭＫと煙突１２までの燃焼室Ａ１空間に充満し爆発的燃焼を防止するため二次燃焼空気４を供給しながら燃焼を安定させ、次第に薪ＭＫの燃焼部先端が鋭角形状になり自身の薪ＭＫの重量に押し潰され、折れ、炭火状化し、炭火状化した燃焼塊Ｇの高温効果で薪相互が燃焼熱に干渉され燃焼を維持し、更にその燃焼塊Ｇに薪ＭＫが降下することを繰り返し燃焼が継続するが、燃焼塊の高温維持は保温火床板３２により本体Ａ底部よりの冷却を抑止し燃焼部Ｆの温度降下を防ぐ効果がある。
【００２９】ここで燃焼部Ｆを支持するロストルを設置した場合は、燃焼塊Ｇは炭より密度が低くロストルより供給される空気で瞬間的に燃え尽き、薪ＭＫの燃焼に貢献しないと同時に燃焼室内Ａ１の温度降下の一因となる虞がある。しかしながら垂直状態の薪ＭＫのみで燃焼が始まると同時に薪ストーブ全体の温度が低下するが、こうした燃焼方式は薪ストーブがやや低温であっても長時間燃焼が継続することでハウス内温度が急激に低下するのを、又夜間の凍結などを防ぐ効果があるので心配は無い。燃焼最終段階では水分量、木質の硬さ等の違いで燃え尽きないで少量残る場合もある。
【００３０】  こうした長尺薪ＭＫの縦込み燃焼方式は燃焼熱量が少なく、薪ＭＫの水分量、太さで燃え方が違い、薪縦込み本数が多いほど燃えやすく、太く本数が少ないと燃えにくいので空気供給口全体の微調整で燃焼室Ａ１内の温度管理が必要となる。空気供給量過多であると燃焼室Ａ１の温度低下で多量の煙が発生する。また煙突１２の排気量が多いと燃焼室Ａ１の温度低下を起こす。実施形態では煙突直径は２００ｍｍとし通常は排気過多傾向にあるので、煙管の設置長さ、及び高さで排気量の調整を煙突ダンパー１３で行う。
【００３１】ここで薪ＭＫの燃焼温度帯は、木材を徐々に加熱していき１８０℃を超えると可燃性ガスを放出し始め、約２５０℃に達すると表面が黒く変色し煙（木炭ガス）が出た状態でさらに加熱して約４５０℃程度に火源を近づけると引火し、火源が無くとも６９０℃（木炭ガス引火点）で発火、この温度を木の発火点といい、８００℃前後で燃焼が継続する。したがって燃焼室内Ａ１の温度が４５０℃以下である場合煙の発生が多くなる。
【００３２】  薪ストーブに薪ＭＫを横に投入し全体が燃焼室に収まる場合、薪ＭＫの表層温度は同一になり上記記載した温度工程で燃焼するが、薪ストーブＸに投入された薪ＭＫは燃焼室Ａ１内で同一の温度にならず燃焼部約８００℃前後、ストックヤード２０との境界付近では４５０℃程度となり薪ＭＫの上下で温度差がある。
【００３３】  燃焼室Ａ１とストックヤード２０との境界付近の場合温度低下により薪ＭＫから可燃性ガスとして煙が発生するが、筒状ガイド板３０が燃焼室Ａ１に略中央付近まで懸架取り付けられていることで、発生した可燃性ガスが煙突吸引力で燃焼火炎部Ｆを通過する際に２次燃焼し可燃性ガスは同時燃焼することで煙の発生は問題ない。又空気供給口により供給された外気を含む空気に薪ＭＫが冷却される虞があるが、薪ストーブＸの空気供給口等は全て本体Ａ外側最下部に設けられているため供給された空気は燃焼部を通過するため薪ＭＫが冷却されることがない。このように縦込みの燃焼方法は燃焼室Ａ１の体積に対して燃焼部分の体積が少なく燃焼室Ａ１内部の温度変化に細心の注意が必要である。
【００３４】  該薪ストーブＸを鑑みると、本体Ａと連通するストックヤード２０を垂直Ｂに設定したことで投入された薪ＭＫは一本一本が独立して降下燃焼するため薪ＭＫの種類を選ばず、独立した薪ＭＫは筒状ガイド板３０に燃焼部中央に誘導収束され、及び保温火床板の設置で安定した燃焼を継続することが可能となった。
【第２実施形態】
【００３５】  図６に示すように本発明の薪ストーブＸから、着脱自在に設置されたストックヤード２０と筒状ガイド板３０を取り外して設置した状態の側面図である。
山林から間伐材として搬入された木材は多種多様で太い物、水分過多の物などが多く、ストーブの条件に合った木材だけを選別調達する事はできない。
又長尺の薪が手に入らない時期などがある場合に薪を縦込み投入専用のストーブは使用出来ない状況となるが、多種多様な薪ＭＫを自由に燃焼可能として解決したのが本発明の薪ストーブＸである。
【００３６】  該薪ストーブＸの実施形態本体Ａは縦５００ｍｍ横５００ｍｍ長手方向１，２００ｍｍで中空な燃焼室内Ａ１長手方向おおむね１，２００ｍｍ、本体Ａ上面１４前部に開口部３１に開閉可能で、着脱自在の扉４０が配される。前部扉８と、空気供給口５，空気供給口６、２次燃焼空気供給口４と、最後部に煙突１２と煙突排気量を調整するダンパーなどの設置、形成状況は第１実施形態と同様である。この場合はロストルの使用は可能であり、燃焼率を高めるには優位である。
【００３７】  間伐材の実情を見ると、木の根や、１５０ｍｍを越える直径の物、また廃材として長さ１，０００ｍｍ前後の木材が大量に搬出される場合がある。こうした薪を燃料とする該薪ストーブＸは本体Ａの前部全開扉８を開放すると約５００ｍｍ×５００ｍｍの広大な薪ＭＫ投入口が出現し、大径木材を燃料とすることを可能とし、又２，０００ｍｍを超す木材は１，０００ｍｍ内外で切断し薪ＭＫとして使用する。
【００３８】  間伐材の加工で木材チップ、大鋸屑が大量に出ることもある。これらも使用燃焼可能であり、燃焼方法は薪ストーブＸの本体Ａに燃焼持続可能な本数の薪ＭＫを投入した後、本体Ａ上面１４に形成された開口部３１より、上記木材チップ、又は大鋸屑、又は二種を混合したものを投入し、本体Ａ前面扉８の空気供給口７より着火「ふいご」状態で燃焼を開始し燃焼を確認後、両側面の空気供給口５、空気供給口６、二次燃焼空気口４を微開放することで木材のみより燃焼時間が大幅に伸びるなど、又煙突ダンパーの使用で燃焼時間、燃焼量等の調整が可能となり、本発明の薪ストーブＸの薪ＭＫ使用方法は多彩である。
【００３９】そして、ストーブ暖房機使用でのビニールハウス等の施設では、温風、温湯暖房、温湯を利用した栽培地熱温度上昇によるイチゴなどの栽培形態が多数存在する、そうした中、該薪ストーブＸはストックヤード２０から煙突までの上面１４を広く取り、側面をも利用した、温風、温湯機器の装着が可能である。ハウス内での一点暖房は効率が悪くより広範囲に暖房をするには上記記載の機器が不可欠となる。
【符号の説明】
【００４０】Ａ      本体
Ａ１    燃焼室
Ｂ      直立９０度
Ｆ      燃焼部
Ｇ      燃焼塊
Ｘ      薪ストーブ
２      補強、及び放熱フィン
３      脚部
４      二次燃焼空気供給口
５      空気供給口
６      空気供給口
７      前面扉空気供給口
８      前面全開扉
９      前面全開扉引き手
１０    横方向薪投入扉引き手
１１    横方向薪投入扉
１２    煙突
１３    煙突ダンパー
１４    本体上面
２０    ストックヤード
２０ａ  ストックヤード内部空間
２１    ストックヤード扉
２２    ストックヤード押し圧ロック装置
２３    ストックヤード扉引き手
２４    ストックヤード扉ヒンジ
２５    ボルト
２６    耐熱パッキン
２７    ストックヤード押し圧ロック装置固定アングル
３０    筒状ガイド板
３１    本体開口部
３２    保温火床板
３３    エキスパンドパネル
３４    灰
３５    断熱パッキン
４０    本体開口部扉
４２    本体開口部扉ヒンジ
４３    本体開口部扉ロック装置
【図１】
2017067425.tif 000003
【図２】
2017067425.tif 000004
【図３】
2017067425.tif 000005
【図４】
2017067425.tif 000006
【図５】
2017067425.tif 000007
【図６】
2017067425.tif 000008